(57)【要約】【課題】コンセントの増設を簡単に実施できるようにすること【解決手段】住宅の各部屋における床面から所定距離をおいて床面に沿って延在して、各種配線用の電線４，５を収容し、開口部１ａが室内に臨むように壁面に埋設される横断面矩形状のダクト１と、このダクト１の前記開口部１ａを閉塞する着脱自在なカバー２とを有し、ダクト１に収容される電線４，５には、少なくともコンセント３と接続されるコンセント用電線４が含まれ、ダクト１の開口部１ａの側には、コンセント３が取り付けられるコンセント取着箇所１０３が複数設けられ、ダクト１に収容される電線には、少なくともコンセント３と接続される低圧屋内配線用の電線４が含まれることを特徴とする。【選択図】図１
2008218010.tif 000002
【特許請求の範囲】
【請求項１】
建物の各部屋における床面から所定距離をおいて床面に沿って延在して、各種配線用の電線を収容し、開口部が室内に臨むように壁面に埋設されるダクトと、
このダクトの前記開口部を閉塞する着脱自在なカバーと、を有し、
前記ダクトの開口部側には、コンセントを取り付けることが可能なコンセント取着箇所が複数設けられ、
前記ダクトに収容される電線には、少なくとも前記コンセントと接続される低圧屋内配線用の電線が含まれることを特徴とする電線収容システム。
【請求項２】
前記ダクトに収容される電線は予備分を含むことを特徴とする請求項１に記載の電線収容システム。
【請求項３】
前記カバーのうち前記コンセント取着箇所に相対する部位には、当該部位を切除して前記コンセント取着箇所を露出するための切除線が形成されていることを特徴とする請求項１又は２に記載の電線収容システム。
【請求項４】
前記ダクトの内部には、その長手方向に延在し、かつ電線種分けのために前記ダクトの内部空間を仕切る少なくとも一つ以上の隔壁が設けられ、当該隔壁により前記長手方向に延びる複数の部屋が上下方向に形成されていることを特徴とする請求項１〜３のいずれかに記載の電線収容システム。
【請求項５】
前記ダクトは、前記電線を天井から垂下して又は床下から持ち上げて挿通する複数の電線通し孔を有し、当該複数の電線通し孔には、天井から通線された複数の電線をダクト内に取り入れるための電線通し孔を含むことを特徴とする請求項４に記載の電線収容システム。
【請求項６】
請求項２〜５のいずれかに記載の電線収容システムを用いるとともに次の手順を有するコンセントの増設方法。
手順１：カバーのうち、コンセントの増設に伴って切除する切除予定部位を切除して前記コンセント取着箇所を露出する。
手順２：手順１で切除した部位を経由してダクト内から前記低圧屋内配線用の予備電線を含む複数の電線のうち予備として未だ使用に供されていない電線を引き出す。
手順３：手順２の引き出された電線を増設用のコンセント本体と接続する。
手順４：手順３のコンセント本体をダクトに取り付ける。
手順５：装飾用の規格プレートをカバーのうち手順１で切除した部分に取り付ける。
【請求項７】
建物の各部屋における床面から所定距離をおいて床面に沿って延在して、日常生活に必要なエネルギーを各部屋に供給する線又は管が収容され、かつ一方にのみ開口されて当該開口部が室内に臨むように壁面に埋設されるダクトと、
このダクトの前記開口部を閉塞する着脱自在なカバーとを有し、
前記カバーには、当該カバーを部分的に切除する切除線が形成され、この切除線で切除して形成された開口部から前記ダクトに収容されている線又は管の末端を引き出し、室内側に配することを特徴とする日常生活に必要なエネルギーを建物の各部屋に供給する線又は管の収容システム。
【発明の詳細な説明】
【技術分野】
【０００１】
本発明は電線収容システム及びコンセントの増設方法に関する。
【背景技術】
【０００２】
これまで電気コンセント（以下、単にコンセント）は、分電盤からの電線の所定の箇所に取り付けられるのが普通であった。しかし、例えばパソコンの普及に伴いプリンターやスキャナその他のパソコン周辺機器が併用されるようになり、コンセントの数が足りなくなることがしばしば生じる。そのため、テーブルタップを使い、一つのコンセントから複数の電器器具に電流を流すことが行われている。
【０００３】
テーブルタップを使うことで１つのコンセント回路に多くの電流が流れると、ブレーカーが落ちる可能性が高まる。そして、ブレーカーによるコンセント回路の遮断がされるぎりぎりまで使い続けると、発熱により配線が焼け、ショートや漏電の虞がある。またそれらの２次災害として、感電や火災といった事が起こり得る。このため、テーブルタップを使用して、一つのコンセントで複数の電気器具に電流を流す場合には、相当の注意が必要である。
上記問題を解決するにはコンセントの一部屋当たりの設置数を増加すればよい。
【０００４】
しかし、コンセントの増設工事を行うには電気工事士によらねばならず、また当該工事では、分電盤からの電線の設置経路にある壁の取壊しや配線の煩わしさを伴うため、コンセントを増設することは簡単ではなかった。
【０００５】
特にマンションなどの集合住宅では、工事に伴う騒音により近隣への配慮を要する場合があった。
【特許文献１】実用新案登録第３１２２３６１号公報
【発明の開示】
【発明が解決しようとする課題】
【０００６】
本発明は、上記実情に鑑みてなされたものであって、その解決しようとする課題は、コンセントの増設を簡単に実行することにある。
【課題を解決するための手段】
【０００７】
そこで本発明は、住宅の各部屋における床面から所定距離をおいて床面に沿って延在して、各種配線用の電線を収容し、開口部が室内に臨むように壁面に埋設されるダクトと、このダクトの前記開口部を閉塞する着脱自在なカバーと、を有し、前記ダクトの開口部側には、コンセントを取り付けることが可能なコンセント取着箇所が複数設けられ、前記ダクトに収容される電線には、少なくとも前記コンセントと接続される低圧屋内配線用の電線が含まれることを特徴とする電線収容システムとした。
【０００８】
本発明の電線収容システムによれば、ダクトは各種配線用の電線を収容し、電線には将来的に増設される可能性のあるコンセントと接続される低圧屋内配線用の電線（以下、コンセント用電線）を含むので、低圧屋内配線用の電線を予備を含めてダクトに配線しておく。
【０００９】
コンセントの増設を行う場合には、コンセント取着箇所に相対する前記カバーの複数の部位のうち、ダクトに設置されるコンセントの増設を予定している箇所（以下、コンセント増設予定箇所）に係る部位を切除し分離する。
【００１０】
そして、コンセント用電線とコンセントとを接続後、当該コンセントをダクトのコンセント増設予定箇所に取り付け、その後、前記切除されたカバーをすれば、コンセントを各部屋に臨ませた状態でコンセントの増設が終了する。
【００１１】
またコンセントの増設にあたり、カバーのうちコンセント増設予定箇所に相対する部位を切除すれば、ダクト内の低圧屋内配線用の電線を引き出すことができるので、壁を壊す必要がなく、ほとんど騒音も生じない。また、既に壁に埋設されているダクトのカバーを切除するだけでよいので、壁そのものの強度に悪影響を及ぼすことがない。
【００１２】
さらに、コンセントの増設にあたり、後からダクトに配線したコンセント用電線とコンセントとを接続する場合は、例えば電線を天井から供給し、ダクト内に通線する。ダクトに電線を供給できさえすれば、ダクト内においてコンセント増設予定箇所にまで電線を送ることは壁を壊さずに済み簡単であるから、その場合もコンセントの増設を簡単に行える。
【００１３】
また、前記カバーのうち前記コンセント取着箇所に相対する部位には、当該部位を切除して前記コンセント取着箇所を露出するための切除線を形成するようにしてもよい。
【００１４】
前記切除線が、前記コンセントの装飾用規格プレート（いわゆるコンセントプレート）の幅寸法に合わせて設けられた切り溝又はミシン目線であれば、切除する分につき寸法を測ることが不要になるので、それだけ作業性が向上する。
【００１５】
前記切除線は、前記カバーの裏面に形成するようにしておくとよい。切除線が裏面にあるので目立たないようにすることができる。
【００１６】
前記ダクトの内部には、その長手方向に延在し、かつ電線種分けのために前記ダクトの内部空間を仕切る少なくとも一つ以上の隔壁が設けられ、当該隔壁により前記長手方向に延びる複数の部屋が上下方向に形成されるようにしてもよい。このようにすることで、用途毎に異種類の電線が混在するのを防止できるので間違いなく電線の使い分けをすることができる。
【００１７】
前記ダクトには、前記電線を天井から垂下して又は床下から持ち上げて挿通する複数の電線通し孔を有し、当該複数の電線通し孔には、天井又は床下から供給された電線をダクト内に取り入れるための電線通し孔を含むようにしておく。このようにすると、天井から供給された増設用の電線をダクト内に入れ易いため、効率よく作業を進めることができる。
【００１８】
また本発明は、上記の電線収容システムを用いるとともに次の手順を有するコンセントの増設方法でもある。
【００１９】
手順１：カバーのうち、コンセントの増設に伴って切除する切除予定部位を切除して前記コンセント取着箇所を露出する。
【００２０】
手順２：手順１で切除した部位を経由してダクト内から前記低圧屋内配線用の予備電線を含む複数の電線のうち予備として未だ使用に供されていない電線を引き出す。
【００２１】
手順３：手順２の引き出された電線を増設用のコンセント本体と接続する。
【００２２】
手順４：手順３のコンセント本体をダクトに取り付ける。
【００２３】
手順５：装飾用の規格プレートをカバーのうち手順１で切除した部分に取り付ける。
【００２４】
さらに本発明は、建物の各部屋における床面から所定距離をおいて床面に沿って延在して、日常生活に必要なエネルギーを各部屋に供給する線又は管が収容され、かつ一方にのみ開口されて当該開口部が室内に臨むように壁面に埋設されるダクトと、このダクトの前記開口部を閉塞する着脱自在なカバーとを有し、前記カバーには、当該カバーを部分的に切除する切除線が形成され、この切除線で切除して形成された開口部から前記ダクトに収容されている線又は管の末端を引き出し、室内側に配することを特徴とする日常生活に必要なエネルギーを建物の各部屋に供給する線又は管の収容システムである。
【発明の効果】
【００２５】
ダクトにおける所望箇所に電線を供することが容易であるので、コンセントの増設が簡単にできる。
【発明を実施するための最良の形態】
【００２６】
以下、本発明の電線収容システムの実施の形態（以下、実施形態）を添付した図面を参照して説明する。
【実施例１】
【００２７】
図１〜３からわかるように、本発明に係る電線収容システムＩは、マンションなどの住宅（建物）に適用される。
電線収容システムＩは、これらの住宅の各部屋における床面から所定距離をおいて床面に沿って延在し、各種配線用の電線を収容し、一方にのみ開口し、当該開口部１ａが室内に臨むように壁面に埋設される横断面矩形状のダクト１と、ダクト１の開口部１ａを閉塞する着脱自在なカバー２とを有する。
【００２８】
ダクト１にはコンセント３が含まれており、ダクト１の開口部１ａにカバー２を取り付けた状態において、コンセント３が室内側に臨むようにされている。
【００２９】
各種配線用の電線として、ダクト１には、少なくともコンセント３と接続される低圧屋内配線用電線や通信線・電話線・その他弱電流電気の伝送に使用する弱電流電線（光ファイバー、同軸ケーブル、ＬＡＮケーブルなど）を含む。そして、ダクト１には、それぞれの線に対応させて、各線の取り出し口が設けられている。
【００３０】
低圧屋内配線用電線は、コンセント３と接続されるのでコンセント用電線といい符号４で示す。なお、通常、屋内配線に用いる電線は、３００Ｖ以下の絶縁されたビニル電線（通称ＩＶ線）である。
【００３１】
また弱電流電線は一般家庭では電話線その他の通信線のことであるので便宜上通信線といい符号５で示す。また、通信線５の予備の線を符号５１で示す。
【００３２】
ダクト１は、これが壁６に埋設されたときに上部に位置する上板１１と、同じく下部に位置する下板１２と、両板１１，１２の中央に位置し、ダクト１内空間を隔てる隔板としての中板１３と、左右の側板１４と、少なくとも上板１１、下板１２及び中板１３を一体化し、壁内に位置する背板１５とからなる。またダクト１は、柱１０及び間柱１０１に、図示しない取付用木螺子によって取り付けられる（図３参照）。
【００３３】
ダクト１にはその開口部側にコンセント３が取り付けられる箇所であるコンセント取着箇所１０３が複数設けられている（図２参照）。
【００３４】
コンセント取着箇所１０３は、図２に示すように、ダクト１が、その上板１１及び下板１２の各縁にコンセント３を取り付けるための取付片１６を有している箇所のことである。各取付片１６は、それらの中央部にコンセント本体３３をダクト１に固定するためにビス３５と螺合する螺孔１６１が形成されている。上板１１及び下板１２の各縁が有する取付片１６は、鉛直線上に位置する。
【００３５】
またダクト１の内部は、中板１３により仕切られてダクト１の長手方向に延びる部屋が上下方向において形成されている。なお、中板１３の幅寸法は、上板１１及び下板１２の幅寸法のほぼ半分である。上方に位置する部屋を上部屋といい、同じく下方に位置する部屋を下部屋という。上部屋を符号ｒ１で示し、下部屋を符号ｒ２で示す。上部屋ｒ１に通信線５が収納され、下部屋ｒ２にコンセント用電線４が収納される。
【００３６】
そして、上板１１，中板１３及び下板１２には、天井から供給されたコンセント用電線４及び通信線５をダクト１内に取り入れるための電線通し孔１１１，１３１，１２１が同軸線上に設けられている。これらの孔は、上板１１，中板１３及び下板１２自体に穿孔することで１つの孔を形成してもよいし、カバー２をしたときに、カバー２とダクト１との組み合わせによって形成される孔（例えば半円状の孔同士の組み合わせによる孔）としてもよい。
【００３７】
また、これらの電線（コンセント用電線４及び通信線５）は、予備の電線（まだ使用に供されていない電線）を含めて予めダクト１に配線しておくことが好ましいが、予備の電線で足りなくなった場合には、天井又は床下から増設用に電線を供給することもできる。その場合、壁６の取壊しを不要にできるように壁内には図２に示すように鉛直方向に延びる間仕切り６１が予め設けられている。間仕切り６１を経由させて、天井からコンセント用電線４及び通信線５を電線通し孔１１１，１３１からダクト１内に取り入れる。
【００３８】
カバー２は、ダクト１の開口部１ａにコンセント３を取り付けた後にコンセント３が取り付けられていない部分を閉塞する。また、カバー２の裏面には、その長手方向に延びる突出壁２１が形成されている。突出壁２１は、その先端２１ａが、カバー２をダクト１に取り付けたときに中板１３の先端１３ａと鉢合わせして、既述のようにダクト１内を仕切る（図２参照）。また当該鉢合わせにより、既述した部屋ｒ１及びｒ２が広くなる。
【００３９】
そしてカバー２には、カバー２をダクト１に取り付けたときにカバー２のうちダクト１のコンセント取着箇所１０３に相対する箇所となる部位２２を切除するための切除線２３が複数形成されている（図２，３参照）。
【００４０】
切除線２３は、カバー２の裏面に形成され、切除線２３同士の間隔が、コンセント３の装飾用規格プレート（いわゆるコンセントプレート）３１の幅寸法に合わせて設けられている。切除線２３には切り溝又はミシン目線が適用される。
【００４１】
また、ダクト１のコンセント取着箇所１０３（図２参照）のうち、コンセント３の増設が予定されている箇所（以下、コンセント増設予定箇所）１０３Ａに相対するカバー２の部位２２は、切除線２３で切除し分離されるようになっている（図２，３参照）。当該切除し分離される部位２２のことをカバー２の切除予定部位２２Ａという。切除予定部位２２Ａが切除されてできたカバー２の開口をコンセント取着用開口といい、符号２４で示す。
【００４２】
さらに、コンセント３は、その本体（以下、コンセント本体）３３の背面に取付溝３３１が形成されている（図２，４，５参照）。
【００４３】
取付溝３３１は、コンセント３をダクト１に取り付けたときに中板１３とコンセント本体３３との干渉を回避するためのものであり、中板１３が入る（図３参照）。
また、コンセント本体３３には、ダクト１の取付片１６に対応して耳片３３２が形成されている（図２、４，５参照）。耳片３３２には通し孔３３２ａが形成されている。なお、ダクト１内は絶縁されている。
【００４４】
次にこのような電線収容システムＩを用いて、コンセント３を増設する方法について図２〜５を参照して説明する。
【００４５】
手順１：カバー２を取り外し、前記切除予定部位２２Ａを切除線２３で切除し、コンセント取着用開口２４を形成する（図２，３参照）。
【００４６】
手順２：ダクト１内からコンセント取着用開口経由でコンセント用電線４のうち予備の電線４１を引き出す（図２参照）。
【００４７】
手順３：手順２の予備の電線４１を増設用のコンセント３の本体（以下、コンセント本体）３３と結線する（図２，４参照）。当該結線は、電線４１をコンセント本体３３に差し込むだけで可能ないわゆる速結方式が好ましい。
【００４８】
手順４：手順３のコンセント本体３３をダクト１にビス３５で取り付ける（図２，４，５参照）。ビス３５をコンセント本体３３の耳片３３２の通し孔３３２ａに通した後、ダクト１の取付片１６の螺孔１６１に螺合する。
【００４９】
手順５：装飾用規格プレート３１でコンセント本体３３をカバーする（図２参照）。
【００５０】
次にこのような構成の電線収容システムＩの作用効果について説明する。
電線収容システムＩにあっては、コンセント３の増設にあたり、壁６を壊す必要がなく、よって騒音の低減化が可能である。また壁６に既に埋設されているダクト１のカバー２を切除するだけでコンセント３の増設が可能であるので、壁６の強度に悪影響を及ぼすこともない。
【００５１】
また、コンセント３の増設にあたり、後からダクト１に配線したコンセント用電線４とコンセント３とを接続する場合は、例えばコンセント用電線４を天井から供給し、ダクト１内に通線する。ダクト１にコンセント用電線４を供給できれば、ダクト１内は電線以外はなく、障害となるものがないので、コンセント用電線４をダクト１内におけるコンセント増設予定箇所１０３Ａにまで配線することは簡単である。したがって、コンセント３の増設を簡単に行える。
【００５２】
切除線２３は、コンセント３の装飾用規格プレート３１の幅寸法に合わせて設けられているので、切除する分について寸法を測ることが不要になる。その結果、それだけ作業性が向上する。
【００５３】
また切除線２３は、カバー２の裏面にあるので目立たない。このため意匠的にも優れている。
【００５４】
ダクト１の内部には、その長手方向に延在されかつ電線種分けのためにダクト１の内部空間Ｓ（図３参照）を仕切る少なくとも一つ以上の隔壁である中板１３が設けられ、中板１３により長手方向に延びる上部屋ｒ１及び下部屋ｒ２が上下方向に形成されるので、上部屋ｒ１及び下部屋ｒ２には、それぞれ通信線５及びコンセント用電線４が別々に収納さ
れる。したがって、両線４，５のダクト内における混在を防止できる。したがって結線作業を間違うことがない。
【００５５】
ダクト１には、上板１１及び中板１３に同軸線上に設けた電線通し孔１１１，１３１を有し、これらの孔１１１，１３１には、天井から供給されたコンセント用電線４及び通信線５を間仕切り６１経由で外部から通すようになっているので、天井から供給された増設用のそれらの線をダクト１内に入れ易い。このため、効率よく作業を進めることができる。
【００５６】
なお、カバー２の切除予定部位２２Ａを連続して２つ切除すれば、コンセントを二連して設置することができる（図６参照）。
【００５７】
また、切除予定部位２２Ａはダクト１の長手方向における所望箇所に設けることができるので、コンセントの設置範囲を拡大できる。
さらに本システムの住宅における適用場所としては、キッチン周り、テレビやＡＶ周り、パソコン周りを例示できる。
【００５８】
本発明は上述の図示例にのみ限定されるものではなく、本発明の要旨を逸脱しない範囲内において種種変更を加え得ることは勿論である。例えば、上記実施例ではコンセントの増設について例示したが通信線の増設工事その他の線の増設工事にも適用できるのはいうまでもない。
【００５９】
さらに、ダクト１内に入れるものは、電線その他の線に限らない。すなわち住宅の各部屋における床面から所定距離をおいて床面に沿って延ばされるとともに、日常生活に必要なガスや電気などのエネルギーを各部屋に供給する線又は管が収容され、かつ一方にのみ開口されて当該開口部が室内に臨むように壁面に埋設されるダクトと、このダクトの前記開口部を閉塞する着脱自在なカバーとを有し、前記カバーには、当該カバーを部分的に切除する切除線が形成され、この切除線で切除して形成された開口部から前記ダクトに収容されている線又は管の末端を引き出し、室内側に配することを特徴とする日常生活に必要なエネルギーを住宅の各部屋に供給する線又は管の収容システムとしても適用が可能である。
【００６０】
このように日常生活に必要なエネルギーを住宅の各部屋に供給する線又は管の収容システムとしても適用することで、当該線又は管の増設工事が容易になる。
【００６１】
なお、上記実施形態ではマンションを例に説明したが、本発明が適用される住宅その他の建物は、主要な骨組の部材に木材を使用し、かつ主柱、桁・梁を構成要素とする木造軸組工法の建築物であってもよい。
【００６２】
また、この実施形態では上板１１及び中板１３に設けた電線通し孔１１１，１３１をそれぞれ一つずつ図２，３における左方に形成したものを例示したが、電線通し孔の数及び位置ともにこれらに限定されないのは勿論である。
【００６３】
例えば、下板１２にも電線通し孔（図示せず）を穿孔し、当該通し孔に通信線５を床下から持ち上げて挿通するようにしてもよい。この場合、下部屋ｒ２に通信線５を収納し、上部屋ｒ１にコンセント用電線４を収納するとよい。またこのとき、上板１１に電線通し孔１１１はあってもなくてもよい。
【図面の簡単な説明】
【００６４】
【図１】本発明に係る電線収容システムを壁に取り付けた全体斜視図である。
【図２】本発明に係る電線収容システムの分解斜視図である。
【図３】図２の要部拡大図であってカバーを取り外してダクトの内部を示す図である。
【図４】図２の要部拡大図であってコンセントを示す図である。
【図５】図４のＶ−Ｖ線拡大断面図であって、ダクトにコンセントを入れた状態を示す図である。
【図６】コンセントを二連して設置した場合の斜視図である。
【符号の説明】
【００６５】
１  ダクト
１ａ  ダクトの開口部
１０  柱
１０１  間柱
１１  上板
１１１上板の電線通し孔
１２  下板
１３  中板（隔壁）
１３ａ  中板の先端
１３１中板の電線通し孔
１４  側板
１５  背板
１６  取付片
１６１  螺孔
１０３  コンセント取着箇所
１０３Ａ  コンセント取着箇所のうちコンセントの増設が予定されているコンセント増設予定箇所
２  カバー
２ａ  カバーの裏面
２１  突出壁
２１ａ  突出壁の先端
２２  カバーをダクトに取り付けたときにカバーのうちダクトのコンセント取着箇所に相対する箇所となる部位
２２Ａ  コンセント増設予定箇所に相対するカバーの切除予定部位
２３  切除線
２４  コンセント取着用開口
３  コンセント
３１  装飾用規格プレート
３３  コンセントの本体
３３１  コンセント本体の背面に設けられた取付溝
３３２  耳片
３３２ａ  耳片の通し孔
３５  ビス
４  コンセント用電線（低圧屋内配線用の電線）
４１  コンセント用電線の予備の電線（配線用の電線）
５  通信線（配線用の電線）
６  壁
６１  間仕切り
Ｉ  電線収容システム
Ｓ  内部空間
ｒ１  上部屋（部屋）
ｒ２  下部屋（部屋）
【図１】
2008218010.tif 000003
【図２】
2008218010.tif 000004
【図３】
2008218010.tif 000005
【図４】
2008218010.tif 000006
【図５】
2008218010.tif 000007
【図６】
2008218010.tif 000008